(57)【要約】【課題】モノクロのテストパターンを撮像し、倍率色収差の影響が出ている領域を指定するのみで、倍率色収差に関する特性が未知である撮像レンズによる倍率色収差の補正を半自動処理によって可能にする。【解決手段】撮像部１１は白地の背景に黒枠を配置したモノクロのテストパターンを撮像して得たテスト画像信号を出力する。収差検出部１２は、観察窓領域内の全画素について、拡大倍率を段階的に変化させて得た拡大Ｂ信号と変化させないＧ信号との差分信号（Ｂ−Ｇ）の絶対値の総和を、拡大Ｂ信号の各拡大倍率毎に計算し、その総和を最小にする補正用拡大倍率（１＋ｃｂ_min）を収差補正部１３に設定してＢ信号を拡大させる。同様に、収差検出部１２は、観察窓領域内において差分信号（Ｒ−Ｇ）の絶対値の総和を最小にする補正用縮小倍率（１−ｃｒ_min）を収差補正部１３に設定してＲ信号を縮小させる。【選択図】図１
2010130033.tif 000002
【特許請求の範囲】
【請求項１】
白地の背景に黒線を含む所定パターンのモノクロのテスト画像を撮像する撮像手段と、
前記撮像手段から出力されたテスト画像信号中に観察窓領域を指定する指定手段と、
前記テスト画像信号を構成する第１の赤色信号に対して、画像中心を一致させたまま段階的に縮小倍率を一定比率ずつ所定範囲内で変化させて、画像を前記縮小倍率で縮小する処理を行う画像縮小手段と、
前記テスト画像信号を構成する第１の青色信号に対して、画像中心を一致させたまま段階的に拡大倍率を一定比率ずつ所定範囲内で変化させて、画像を前記拡大倍率で拡大する処理を行う画像拡大手段と、
前記観察窓領域の全画素について、前記観察窓領域のテスト画像信号を構成する第１の緑色信号と段階的に変化する前記縮小倍率で画像縮小処理された各縮小倍率毎の前記第１の赤色信号との差分信号の絶対値の総和を求め、その総和を最小にする前記縮小倍率を補正用縮小倍率として求める補正用縮小倍率算出手段と、
前記観察窓領域の全画素について、前記第１の緑色信号と段階的に変化する前記拡大倍率で画像拡大処理された各拡大倍率毎の前記第１の青色信号との差分信号の絶対値の総和を求め、その総和を最小にする前記拡大倍率を補正用拡大倍率として求める補正用拡大倍率算出手段と、
前記撮像手段から出力されたテスト画像信号を構成する赤色信号に対して、画像中心を一致させたまま前記補正用縮小倍率で縮小した第２の赤色信号を生成すると共に、前記撮像手段から出力されたテスト画像信号を構成する青色信号に対して、画像中心を一致させたまま前記補正用拡大倍率で拡大した第２の青色信号を生成し、これら第２の赤色信号及び第２の青色信号を前記撮像手段から出力されたテスト画像信号を構成する第２の緑色信号と共に出力する収差補正手段と
を有することを特徴とする画像処理装置。
【請求項２】
前記指定手段は、前記テスト画像の任意位置に前記観察窓領域を外部から設定することを特徴とする請求項１記載の画像処理装置。
【請求項３】
前記観察窓領域は、２以上設けられることを特徴とする請求項１又は２記載の画像処理装置。
【発明の詳細な説明】
【技術分野】
【０００１】
本発明は画像処理装置に係り、特に撮像レンズにおける倍率色収差の補正のための画像処理を行う画像処理装置に関する。
【背景技術】
【０００２】
撮像装置では、撮像レンズにおける倍率色収差が問題となる。撮像レンズにおける倍率色収差とは、光の波長による屈折率を原因として、斜めの平行光が１点に集光せずに、異なる像高に集光してしまう現象である。すなわち、図９に示すように、撮像レンズ４１に対して斜めに平行光４２が入射した場合、撮像レンズ４１の青色光Ｂ、緑色光Ｇ、赤色光Ｒの各波長に対する屈折率が異なるために、撮像レンズ４１の結像面において、互いに像高が異なる青色像４３Ｂ、緑色像４３Ｇ、赤色像４３Ｒが結像する倍率色収差が生じる。このような撮像レンズ４１における倍率色収差は、結果的に画像のボケや輪郭の色つきといった問題の原因になる。
【０００３】
一般的に、撮像レンズ４１における倍率色収差は、図９に示すように、結像する緑色像４３Ｇに対して赤色像４３Ｒは高い像高で結像させ、青色像４３Ｂは低い像高で結像させる傾向がある。このため、図１０に示すように、白地の背景４５に黒枠４６のモノクロのテストパターンを撮像した場合、得られる撮像画像は、図１１に示すように、黒枠４６と内側の白い背景４５の境界において、本来黒である部分に４７Ｒで示すように赤が黒枠４６の外側にはみ出る形の画像となり、赤の色つきを発生させる。また、上記の撮像画像は、黒枠４６と外側の白い背景４５の境界において、本来黒である部分に４７Ｂで示すように青が黒枠４６の内側にはみ出る形の画像になり、青の色つきを発生させる。
【０００４】
このような撮像レンズにおける倍率色収差による輪郭の色つきを補正するために、従来は撮像レンズの結像位置ずれを補正する画像変形処理にて倍率色収差補正を行う画像処理装置が種々提案されている（例えば、特許文献１〜３参照）。
【０００５】
特許文献１には、撮像レンズ自体の歪を許容しつつ、撮像レンズの出力信号をデジタル信号に変換し、そのデジタル信号の色成分毎に倍率を補正するように像の拡大又は縮小を行う画像処理により、撮像レンズの幾何学的歪みを補正する装置が開示されている。また、特許文献２には、安価なフイルムカメラのような予めレンズの特性などが得られていないカメラによる撮影画像を補正してデジタルフォトプリンタなどで印刷することを前提とする画像処理装置が開示されている。更に、特許文献３には“領域マーカー”が示す特定の像高領域において、変換処理を行うことで特定の像高に対応する倍率色収差のマニュアル調整をしやすくした構成の画像処理装置が開示されている。
【０００６】
【特許文献１】特開平６−２０５２７３号公報
【特許文献２】特開平１１−３３１５４３号公報
【特許文献３】特開２００６−２５１８４６号公報
【発明の開示】
【発明が解決しようとする課題】
【０００７】
しかしながら、特許文献１記載の発明は、事前に撮像レンズの特性がわかっていることが前提である。従って、特許文献１は、事前に倍率色収差に関する特性が分っていない撮像レンズによる倍率色収差の補正法は開示していない。また、特許文献２記載の従来の画像処理装置は、基本的にプリントサービスのオペレーションの効率化に関するものであり、撮像レンズにおける倍率色収差の補正のための画像処理を行う構成ではない。更に、特許文献３記載の従来の画像処理装置は、あくまでマニュアル調整による補正の効率化を目指したものに過ぎない。
【０００８】
本発明は以上の点に鑑みなされたもので、モノクロのテストパターンを撮像し、倍率色収差の影響が出ている箇所に観察窓領域を指定するのみで、倍率色収差に関する特性が未知である撮像レンズによる倍率色収差の補正を半自動処理によって可能にする画像処理装置を提供することを目的とする。
【課題を解決するための手段】
【０００９】
上記の目的を達成するため、本発明の画像処理装置は、白地の背景に黒線を含む所定パターンのモノクロのテスト画像を撮像する撮像手段と、撮像手段から出力されたテスト画像信号中に観察窓領域を指定する指定手段と、テスト画像信号を構成する第１の赤色信号に対して、画像中心を一致させたまま段階的に縮小倍率を一定比率ずつ所定範囲内で変化させて、画像を縮小倍率で縮小する処理を行う画像縮小手段と、テスト画像信号を構成する第１の青色信号に対して、画像中心を一致させたまま段階的に拡大倍率を一定比率ずつ所定範囲内で変化させて、画像を拡大倍率で拡大する処理を行う画像拡大手段と、観察窓領域の全画素について、観察窓領域のテスト画像信号を構成する第１の緑色信号と段階的に変化する縮小倍率で画像縮小処理された各縮小倍率毎の第１の赤色信号との差分信号の絶対値の総和を求め、その総和を最小にする縮小倍率を補正用縮小倍率として求める補正用縮小倍率算出手段と、観察窓領域の全画素について、第１の緑色信号と段階的に変化する拡大倍率で画像拡大処理された各拡大倍率毎の第１の青色信号との差分信号の絶対値の総和を求め、その総和を最小にする拡大倍率を補正用拡大倍率として求める補正用拡大倍率算出手段と、撮像手段から出力されたテスト画像信号を構成する赤色信号に対して、画像中心を一致させたまま補正用縮小倍率で縮小した第２の赤色信号を生成すると共に、撮像手段から出力されたテスト画像信号を構成する青色信号に対して、画像中心を一致させたまま補正用拡大倍率で拡大した第２の青色信号を生成し、これら第２の赤色信号及び第２の青色信号を撮像手段から出力されたテスト画像信号を構成する第２の緑色信号と共に出力する収差補正手段とを有することを特徴とする。
【００１０】
また、本発明は、指定手段は、テスト画像の任意位置に観察窓領域を外部から設定することを特徴とする。ここで、観察窓領域は、２以上設けられてもよい。
【発明の効果】
【００１１】
本発明によれば、モノクロのテストパターンを撮像し、倍率色収差の影響が出ている箇所に観察窓領域を指定するのみで、倍率色収差に関する特性が未知である撮像レンズによる倍率色収差の補正を半自動処理によって可能にすることができる。
【発明を実施するための最良の形態】
【００１２】
次に、本発明の実施の形態について図面と共に詳細に説明する。
【００１３】
（第１の実施の形態）
図１は、本発明になる画像処理装置の第１の実施の形態の概略構成図を示す。同図に示すように、本実施の形態の画像処理装置１０は、撮像部１１、収差検出部１２、収差補正部１３、出力部１４及び観察窓領域指定部１５から構成されている。
【００１４】
撮像部１１は、倍率色収差に関する特性が未知である撮像レンズを搭載しており、その撮像レンズでモノクロのテスト画像を撮像して、三原色信号である赤色信号（以下、Ｒ信号）と、緑色信号（以下、Ｇ信号）と、青色信号（以下、Ｂ信号）とからなるテスト画像信号を出力する。撮像するモノクロのテスト画像は、図４や図１０に示した、白地の背景４５に矩形状の黒枠４６を配置したモノクロのテストパターンの画像のような、ある程度肉厚な黒い輪郭を有して、白い部分に倍率色収差による明快な色つきが発生する画像が望ましい。
【００１５】
収差検出部１２は、観察窓領域指定部１５から観察窓領域が指定されると共に、撮像部１１から出力されたモノクロのテスト画像信号に基づいて、後記の処理により赤色像の像高が（１−ｃｒ_min）倍、青色像の像高が（１＋ｃｂ_min）倍されることで緑色像の像高と一致するようなパラメータ（以下、変数ともいう）であるｃｒ_minとｃｂ_minを算出する。
【００１６】
収差補正部１３は、撮像部１１によりモノクロのテスト画像を撮像して得られた三原色信号のテスト画像信号を入力として受け、かつ、収差検出部１２からパラメータｃｒ_min及びｃｂ_minを入力として受け、Ｒ信号を（１−ｃｒ_min）倍に縮小し、Ｂ信号を（１＋ｃｂ_min）倍に拡大して出力し、Ｇ信号はそのままスルーで出力する。
【００１７】
図２は、収差補正部１３の一実施の形態のブロック図を示す。同図に示すように、収差補正部１３は、Ｒ信号とパラメータｃｒ_minとを入力として受け、Ｒ信号を（１−ｃｒ_min）倍に縮小したＲ’信号を出力する画像縮小部１３１と、Ｂ信号とパラメータｃｂ_minとを入力として受け、Ｂ信号を（１＋ｃｂ_min）倍に拡大したＢ’信号を出力する画像拡大部１３２とからなる。また、収差補正部１３は、Ｇ信号は画像縮小及び画像拡大することなくそのまま出力する。
【００１８】
図１の出力部１４は、収差補正部１３から出力されたＲ’信号、Ｂ’信号及びＧ信号に対して所定の出力処理を施して出力する。
【００１９】
次に、本実施の形態の動作について説明する。図１において、撮像部１１は図４に示す白地の背景４５に矩形状の黒枠４６を配置したモノクロのテストパターンを撮像して得たテスト画像信号（Ｒ信号、Ｂ信号、Ｇ信号）を収差検出部１２に供給すると共に、そのＲ信号、Ｂ信号及びＧ信号を収差補正部１３に供給する。
【００２０】
収差検出部１２は、このテスト画像信号に基づいて図３に示すフローチャートに従った動作を行う。まず、収差検出部１２は、テスト画像信号が入力される（ステップＳ１）。続いて、収差検出部１２は、その修正前のテスト画像について、観察窓領域指定部１５から観察窓領域が指定される（ステップＳ２）。
【００２１】
この観察窓領域は、撮像されたテスト画像の倍率色収差を原因とする色つきが発生しており補正が必要と判断される箇所に指定される領域で、図４のテストパターンの場合には、例えば、図４に２１で示す矩形領域である。なお、テストパターンの形態や観察窓領域の切り出し方は自由であるが、あまり複雑なものは好ましくない。ここでは、観察窓領域２１は、水平方向３０画素、垂直方向３０画素程度の正方ブロックとした。また、観察窓領域は、撮像されたテスト画像の倍率色収差を原因とする色つきが発生する位置であれば、任意に設定することができる。
【００２２】
この観察窓領域２１のテスト画像信号は、図５に拡大図を示すように、黒枠４６と白い背景４５からなるテストパターン中の黒枠４６とその内側の白い背景４５との境界において、赤色が黒枠４６の外側にはみ出た赤の色つき２２と、黒枠４６とその外側の白い背景４５との境界において、青色が黒枠４６の内側にはみ出た青の色つき２３とが発生した画像信号である。
【００２３】
次に、収差検出部１２は、撮像部１１からのテスト画像信号中のＲ信号の像高を（１−ｃｒ）倍に変化させる（ステップＳ３）。ただし、このとき、変数ｃｒは、「０」から「０.００２」までの範囲内で、０.００００１ピッチずつ段階的に変化させるものとする。従って、ステップＳ３では、収差検出部１２は、Ｒ信号の像高を１.００倍、０.９９９９９倍、０.９９９９８倍、・・・、０.９９８倍に段階的に変化させる。また、ここにおける“像高を変化”とは基本的に画像中心を動かさないままの画像の拡大・縮小と考えてよい（ここでは縮小）。
【００２４】
続いて、収差検出部１２は、観察窓領域２１内の全画素について、ステップＳ３で像高を（１−ｃｒ）倍の縮小変数で段階的に変化させた縮小Ｒ信号と、像高を変化させないＧ信号との差分信号（Ｒ−Ｇ）の絶対値の総和を、縮小Ｒ信号の各縮小倍率毎に計算する（ステップＳ４）。そして、収差検出部１２は、上記の総和を最小にする縮小倍率の変数ｃｒを、最小縮小変数ｃｒ_minとして出力する（ステップＳ５）。
【００２５】
差分信号（Ｒ−Ｇ）の絶対値の総和を最小にする理由は、以下の通りである。
【００２６】
（１）色つきがない場合は入力テスト画像信号がモノクロなので、原則的にどこでも（Ｒ−Ｇ）＝０となる。
【００２７】
（２）色つきが強いほど差分信号（Ｒ−Ｇ）の絶対値の総和は大きいはずである。
【００２８】
（３）差分信号（Ｒ−Ｇ）の絶対値の総和を小さくするようなＲ信号の像高があるべき像高である。
【００２９】
また、収差検出部１２は、上記と同様に、撮像部１１からのテスト画像信号中のＢ信号の像高を（１＋ｃｂ）倍に変化させる（ステップＳ６）。ただし、このとき、変数ｃｂは、「０」から「０.００２」までの範囲内で、０.００００１ピッチずつ段階的に変化させるものとする。従って、ステップＳ６では、収差検出部１２は、Ｂ信号の像高を１.００倍、１.００００１倍、１.００００２倍、・・・、１.００２倍に段階的に変化させる。また、ここにおける“像高を変化”とは基本的に画像中心を動かさないままの画像の拡大・縮小と考えてよい（ここでは拡大）。
【００３０】
続いて、収差検出部１２は、観察窓領域２１内の全画素について、ステップＳ６で像高を（１＋ｃｂ）倍の拡大倍率で段階的に変化させた拡大Ｂ信号と、像高を変化させないＧ信号との差分信号（Ｂ−Ｇ）の絶対値の総和を、拡大Ｂ信号の各拡大倍率毎に計算する（ステップＳ７）。そして、収差検出部１２は、上記の総和を最小にする拡大倍率の変数ｃｂを、最小拡大変数ｃｂ_minとして出力する（ステップＳ８）。
【００３１】
差分信号（Ｂ−Ｇ）の絶対値の総和を最小にする理由は、以下の通りである。
【００３２】
（１）色つきがない場合は入力テスト画像信号がモノクロなので、原則的にどこでも（Ｂ−Ｇ）＝０となる。
【００３３】
（２）色つきが強いほど差分信号（Ｂ−Ｇ）の絶対値の総和は大きいはずである。
【００３４】
（３）差分信号（Ｂ−Ｇ）の絶対値の総和を小さくするようなＢ信号の像高があるべき像高である。
【００３５】
収差検出部１２は、ステップＳ５で得た最小縮小変数ｃｒ_minと、ステップＳ８で得た最小拡大変数ｃｂ_minとを収差補正部１３へ出力し、画像縮小部１３１の縮小倍率を補正用縮小倍率（１−ｃｒ_min）に設定すると共に、画像拡大部１３２の拡大倍率を補正用拡大倍率（１＋ｃｂ_min）に設定する。
【００３６】
図２のブロック図に示す構成の収差補正部１３は、画像縮小部１３１にてテスト画像信号中のＲ信号の画像を、画像中心を一致させたまま補正用縮小倍率である（１−ｃｒ_min）倍に縮小したＲ’信号を出力部１４へ出力する。また、これと同時に、収差補正部１３は、画像拡大部１３２にてテスト画像信号中のＢ信号の画像を、画像中心を一致させたまま補正用拡大倍率である（１＋ｃｂ_min）倍に拡大したＢ’信号を出力部１４へ出力する。このようにして、収差補正部１３は、Ｇ信号と像高が略一致するように収差補正されたＲ’信号とＢ’信号とをＧ信号と共に出力する。
【００３７】
このように、本実施の形態によれば、倍率色収差に関する特性が未知である撮像レンズによる赤や青の色つきなどの倍率色収差の影響が出ている観察窓領域２１を指定するのみで、半自動的にＲ信号とＢ信号の像高がＧ信号の像高と略一致するように調整することができ、これにより倍率色収差を補正することができる。
【００３８】
（第２の実施の形態）
次に、本発明の第２の実施の形態について説明する。
【００３９】
本実施の形態の画像処理装置は、基本的には図１に示した構成と同じであるが、収差検出部１２の構成及び動作が図１の実施の形態と異なる。すなわち、図１の実施の形態では、収差検出部１２は、一つの観察窓領域２１のテスト画像信号をＲ信号の像高調整、Ｂ信号の像高調整の双方の系統の評価に使用しているが、本実施の形態では、図６に示すように、赤色つき用観察窓領域２１Ｒと青色つき用観察窓領域２１Ｂとの、それぞれ専用の観察窓領域を設けて、Ｒ信号の像高調整、Ｂ信号の像高調整の評価に使用する点に特徴がある。
【００４０】
次に、この実施の形態における収差検出部の動作について図７のフローチャートと共に説明する。同図中、図３と同一処理ステップには同一符号を付し、その説明を省略する。本実施の形態の収差検出部は、テスト画像信号が入力されると（ステップＳ１）、その修正前のテスト画像について、図６に示した赤色付き用観察窓領域２１Ｒを指定してその観察窓領域２１Ｒ内のＲ信号を抽出する（ステップＳ２１）。また、収差検出部は、修正前のテスト画像について、図６に示した赤色付き用観察窓領域２１Ｂを指定する（ステップＳ２２）。
【００４１】
続いて、収差検出部は、テスト画像信号に基づいて、図７のステップＳ３〜Ｓ５により前述した最小値ｃｒ_minを求めて出力する。同様に、収差検出部は、テスト画像信号に基づいて、図７のステップＳ３〜Ｓ５により前述した最小値ｃｂ_minを求めて出力する。
【００４２】
本実施の形態によれば、倍率色収差に関する特性が未知である撮像レンズによる赤や青の色つきなどの倍率色収差の影響が出ている観察窓領域２１Ｒ、２１Ｂを指定するのみで、半自動的にＲ信号とＢ信号の像高が調整され、倍率色収差を補正することができる。
【００４３】
（第３の実施の形態）
次に、本発明の第３の実施の形態について説明する。
【００４４】
図８は、本発明になる画像処理装置の第３の実施の形態の概略構成図を示す。同図中、図１と同一構成部分には同一符号を付し、その説明を省略する。図８に示すように、本実施の形態の画像処理装置３０は、撮像部１１、収差補正部３１、収差検出部３２、出力部１４及び観察窓領域指定部１５から構成されている。
【００４５】
収差補正部３１は、図２のブロック図に示した収差補正部１３の構成と同様に画像縮小部と画像拡大部とからなる構成である。ただし、収差補正部３１は、撮像部１１からテスト画像信号を構成するＲ信号、Ｂ信号及びＧ信号を入力として受けると共に、収差検出部３２からＲ信号用変数ｃｒとＢ信号用変数ｃｂを入力として受け、画像縮小部によりＲ信号を画像中心を一致させたまま縮小倍率である（１−ｃｒ）倍に縮小した縮小Ｒ信号（Ｒ’信号）を出力し、これと同時に、画像拡大部によりＢ信号を画像中心を一致させたまま拡大倍率である（１＋ｃｂ）倍に拡大した拡大Ｂ信号（Ｂ’信号）を出力し、Ｇ信号は拡大／縮小を行うことなくそのまま出力する。
【００４６】
次に、この画像処理装置３０の動作について説明する。収差補正部３１は、撮像部１１から出力されたテスト画像信号全体のＲ信号の像高が（１−ｃｒ）倍に変化するようにＲ信号の画像縮小を行って得た縮小Ｒ信号（Ｒ’信号）を生成して収差検出部３２に供給すると共に、テスト画像信号全体のＢ信号の像高が（１＋ｃｂ）倍に変化するようにＢ信号の画像拡大を行って得た拡大Ｂ信号（Ｂ’信号）を生成して収差検出部３２に供給する。また、収差補正部３１は、撮像部１１から出力されたテスト画像信号全体のＧ信号は、拡大／縮小することなくそのまま収差検出部３２に供給する。
【００４７】
ここで、上記の変数ｃｒとｃｂは、それぞれ「０」から「０.００２」までの範囲内で、０.００００１ピッチずつ段階的に変化させるものとする。従って、収差補正部３１は、１.００倍、０.９９９９９倍、０.９９９９８倍、・・・、０.９９８倍というように一定比率ずつ段階的に変化させた縮小倍率（１−ｃｒ）倍で縮小したＲ’信号と、１.００倍、１.００００１倍、１.００００２倍、・・・、１.００２倍というように一定比率ずつ段階的に変化させた拡大倍率（１＋ｃｂ）倍で拡大したＢ’信号とを収差検出部３２へ出力する。
【００４８】
収差検出部３２は、観察窓領域指定部１５から観察窓領域が指定されている。この観察窓領域は、撮像されたテスト画像の倍率色収差を原因とする色つきが発生しており補正が必要と判断される箇所に指定される領域で、例えば、図４に２１で示した矩形領域、又は図６に２１Ｒ、２１Ｂに示した矩形領域である。
【００４９】
次に、収差検出部３２は、上記の観察窓領域内の全画素について、収差補正部３１からの縮小倍率を段階的に変化させて得た縮小Ｒ信号（Ｒ’信号）と、像高を変化させないＧ信号との差分信号（Ｒ−Ｇ）の絶対値の総和を、縮小Ｒ信号の各縮小倍率毎に計算する。そして、収差検出部３２は、上記の総和を最小にする変数ｃｒを、最小縮小変数ｃｒ_minとして算出する。
【００５０】
また、収差検出部３２は、上記の観察窓領域内の全画素について、収差補正部３１からの拡大倍率を段階的に変化させて得た拡大Ｂ信号（Ｂ’信号）と、像高を変化させないＧ信号との差分信号（Ｂ−Ｇ）の絶対値の総和を、拡大Ｂ信号の各拡大倍率毎に計算する。そして、収差検出部３２は、上記の総和を最小にする変数ｃｂを、最小拡大変数ｃｂ_minとして算出する。
【００５１】
続いて、収差検出部３２は、算出した上記の最小縮小変数ｃｒ_minと最小拡大変数ｃｂ_minとを収差補正部３１に設定する。これにより、収差補正部３１は、画像縮小部にてテスト画像信号中のＲ信号の画像を、画像中心を一致させたまま補正用縮小倍率である（１−ｃｒ_min）倍に縮小したＲ’信号を出力部１４へ出力する。また、これと同時に、収差補正部１３は、画像拡大部にてテスト画像信号中のＢ信号の画像を、画像中心を一致させたまま補正用拡大倍率である（１＋ｃｂ_min）倍に拡大したＢ’信号を出力部１４へ出力する。また、収差補正部３１は、テスト画像信号中のＧ信号をそのまま出力部１４へ出力する。
【００５２】
本実施の形態によれば、収差補正部３１の画像拡大部と画像縮小部とを、収差検出部３２が最小縮小変数ｃｒ_minと最小拡大変数ｃｂ_minとを求めるために利用しているので、第１及び第２の実施の形態のように、収差補正部１３の画像縮小部１３１と画像拡大部１３２とは別に、収差検出部１２が最小縮小変数ｃｒ_minと最小拡大変数ｃｂ_minとを算出するために、Ｒ信号の画像縮小部とＢ信号の画像拡大部とを有する構成に比べて回路構成を簡略化することができ、また安価に構成することができる。
【００５３】
なお、本発明は、ハードウェアの倍率色収差補正処理に限定されるものでなく、コンピュータプログラムにより処理することもできる。この場合、コンピュータプログラムは、記録媒体からコンピュータに取り込まれてもよいし、ネットワーク経由でコンピュータに取り込まれてもよい。
【図面の簡単な説明】
【００５４】
【図１】本発明の画像処理装置の第１の実施の形態の概略構成図である。
【図２】収差補正部の一実施の形態のブロック図である。
【図３】図１中の収差検出部の動作説明用フローチャートである。
【図４】図１の実施の形態の観察窓領域を説明する図（その１）である。
【図５】図１の実施の形態の観察窓領域を説明する図（その２）である。
【図６】本発明の他の実施の形態の観察窓領域を説明する図である。
【図７】本発明の他の実施の形態の収差検出部の動作説明用フローチャートである。
【図８】本発明の画像処理装置の第３の実施の形態の概略構成図である。
【図９】倍率色収差を説明する図である。
【図１０】モノクロのテストパターンの一例を示す図である。
【図１１】テスト画像の色つきを説明する図である。
【符号の説明】
【００５５】
１０、３０  画像処理装置
１１  撮像部
１２、３２  収差検出部
１３、３１  収差補正部
１４  出力部
１５  観察窓領域指定部
２１  観察窓領域
２１Ｒ  赤色付き用観察窓領域
２１Ｂ  青色付き用観察窓領域
４５  白の背景
４６  黒枠
１３１  画像縮小部
１３２  画像拡大部
【図１】
2010130033.tif 000003
【図２】
2010130033.tif 000004
【図３】
2010130033.tif 000005
【図４】
2010130033.tif 000006
【図５】
2010130033.tif 000007
【図６】
2010130033.tif 000008
【図７】
2010130033.tif 000009
【図８】
2010130033.tif 000010
【図９】
2010130033.tif 000011
【図１０】
2010130033.tif 000012
【図１１】
2010130033.tif 000013